(57)【要約】【課題】金券の利用度を上げる為、飲食店や小売店等でも時間や経費をかけず、かつ金券の種類に拘りなく代金決算の手段として金券を用いることができるように、金券の買取価格及び金券の偽造に関する情報を店舗側に提供する技術を提供すること。【解決手段】端末装置２００の制御部２５０は、入力部２２０で選択された金券画像の金券識別情報及び記憶部２４０の端末識別情報をサーバ１００に送信する。この金券識別情報及び端末識別情報を受信したサーバ１００の制御部１５０は、受信した金券識別情報と同一の金券識別情報を記憶部１２０のデータベース１Ａから検索し、この検索した金券識別情報と関連付けられている買取価格情報をデータベース１Ａから読み出す。更に、制御部１５０は、受信した端末識別情報で識別される端末装置２００に、データベース１Ａから読み出した買取価格情報を送信する。この買取価格情報を受信した端末装置２００の制御部２５０は、買取価格情報を表示部２３０に表示させる。【選択図】  図１
2004272760.tif 000002
【特許請求の範囲】
【請求項１】
金券による代金決算に必要な情報を提供するシステムであって、
前記システムは、サーバと、端末装置とを有し、
前記サーバは、
金券の種類を識別する金券識別情報と、該金券の買取価格を示す買取価格情報とが関連付けられている金券データベースと、
前記端末装置から送信されて来た金券識別情報を受信する受信手段と、
前記受信手段で受信した金券識別情報と同一の金券識別情報を前記金券データベースから検索し、この検索した金券識別情報と関連付けられている買取価格情報を読み出す制御手段と、
前記制御手段で読み出した買取価格情報を前記端末装置に送信する送信手段とを有し、
前記端末装置は、
金券識別情報を入力する入力手段と、
前記入力手段で入力された金券識別情報を前記サーバに送信する送信手段と、
前記サーバから送信されて来た買取価格情報を表示する表示手段
とを有することを特徴とする金券情報提供システム。
【請求項２】
前記端末装置の表示手段は、複数の金券画像が表示されるように構成され、
前記端末装置の入力手段は、前記表示手段に表示された金券画像から特定の金券画像を選択することによって入力できるように構成されていることを特徴とする請求項１に記載の金券情報提供システム。
【請求項３】
前記サーバは、
金券の名称が記載された金券欄と該金券の買取価格を入力する価格欄とが関連付けられて表示されている表示手段と、
前記表示手段に表示されている価格欄に買取価格を入力する入力手段
とを有し、
前記サーバの制御手段は、前記価格欄に買取価格が入力されると、この価格欄に関連付けられている金券欄の金券を識別する金券識別情報と同一の金券識別情報を前記金券データベースから検索し、検索した金券識別情報と関連付けられている買取価格情報の価格を前記価格欄に入力された買取価格に更新するように構成されている
ことを特徴とする請求項１又は請求項２に記載の金券情報提供システム。
【請求項４】
前記金券データベースには、金券識別情報に金券の偽造に関する偽造情報が更に関連付けられており、
前記サーバの制御手段は、前記検索した金券識別情報と関連付けられている偽造情報を前記金券データベースから読み出して前記端末装置に送信するように構成され、
前記端末装置の表示手段は、前記サーバから送信されて来た偽造情報を表示するように構成されている
ことを特徴とする請求項１〜請求項３のいずれかに記載の金券情報提供システム。
【請求項５】
前記偽造情報は、金券上の偽造箇所を特定し、この偽造箇所の偽造内容が記載された画像情報であることを特徴とする請求項４に記載の金券情報提供システム。
【請求項６】
前記端末装置は、
金券の枚数を入力する入力手段と、
前記入力手段で入力された枚数を枚数情報とし、該枚数情報と自端末装置を識別する端末識別情報と金券識別情報とを前記送信手段に送信させる制御手段
とを有し、
前記サーバは、端末識別情報と金券を買取ることによる店側の手数料情報とが関連付けられた履歴データベースを有し、
前記サーバの制御手段は、前記端末装置から送信されて来た端末識別情報、金券識別情報及び枚数情報を受信すると、前記受信した金券識別情報と同一の金券識別情報に関連付けられている買取価格情報を前記金券データベースから検索し、この検索した買取価格情報及び受信した枚数情報に基づいて手数料を算出し、この算出した手数料情報と前記受信した端末識別情報とを関連付けて前記履歴データベースに記憶させるように構成されている
ことを特徴とする請求項１〜請求項５のいずれかに記載の金券情報提供システム。
【請求項７】
前記サーバは、
金券を識別する金券識別情報と該金券を買取ることによる買取手数料情報とが関連けられた手数料データベースと、
端末識別情報と店側の手数料情報とが関連付けられた履歴データベース
とを有し、
前記サーバの制御手段は、前記端末装置から送信されて来た端末識別情報、金券識別情報及び枚数情報を受信すると、前記受信した金券識別情報と同一の金券識別情報に関連付けられている買取手数料情報を前記手数料データベースから検索し、この検索した買取手数料情報及び枚数情報に基づいて手数料を算出し、この算出した手数料情報と前記受信した端末識別情報とを関連付けて前記履歴データベースに記憶させるように構成されている
ことを特徴とする請求項１〜請求項５のいすれかに記載の金券情報提供システム。
【請求項８】
前記サーバの制御手段は、前記履歴データベースの手数料情報が所定の金額以上になると、該手数料情報と関連付けられている端末識別情報で識別される端末装置に金券の送付を要求する通知をするように構成されていることを特徴とする請求項６又は請求項７に記載の金券情報提供システム。
【請求項９】
前記端末装置の制御手段は、買取った金券の履歴の情報を送信するよう要求する送信要求を前記サーバに送信するよう構成され、
前記サーバの制御手段は、前記端末装置からの送信要求を受信すると、前記履歴データベースに記憶されている手数料情報を前記端末装置に送信するように構成されていることを特徴とする請求項１〜請求項７のいずれかに記載の金券情報提供システム。
【請求項１０】
サーバと端末装置とを用いて金券による代金決算に必要な情報を提供する方法であって、
前記端末装置において、表示されている複数の金券画像から顧客より買取る金券と同種の金券画像が選択されるステップと、
前記端末装置が、前記選択された金券画像を基に金券を識別する金券識別情報を送信するステップと、
前記サーバが、前記端末装置から送信されて来た金券識別情報を受信すると、受信した金券識別情報と同一の金券識別情報を、金券識別情報と金券の買取価格を示す買取価格情報とが関連付けられている金券データベースから検索するステップと、
前記サーバが、前記検索した金券識別情報と関連付けられている買取価格情報を前記金券データベースから読み出して前記端末装置に送信するステップと、
前記端末装置が、前記サーバから送信されて来た買取価格情報を表示するステップ
とを有することを特徴とする金券情報提供方法。
【請求項１１】
金券情報提供方法は、
前記サーバにおいて、金券の名称と該金券の買取価格が入力されるステップと、
前記サーバが、前記入力された金券を識別する金券識別情報と同一の金券識別情報を前記金券データベースから検索し、この検索した金券識別情報と関連付けられている買取価格情報の価格を、前記入力された買取価格に更新するステップとを有することを特徴とする請求項１０に記載の金券情報提供方法。
【請求項１２】
前記金券データベースには、金券識別情報に金券の偽造に関する偽造情報が更に関連付けられており、
前記サーバが、前記データベースから買取価格情報を読み出す際、金券識別情報と関連付けられている偽造情報を読み出して前記端末装置に送信するステップと、
前記端末装置が、前記サーバから送信されて来た偽造情報を表示するステップとを有することを特徴とする請求項１０又は請求項１１に記載の金券情報提供方法。
【請求項１３】
前記偽造情報は、金券上の偽造箇所を特定し、この偽造箇所の偽造内容が記載された画像情報であることを特徴とする請求項１２に記載の金券情報提供方法。
【請求項１４】
前記サーバは、前記端末装置を識別する端末識別情報と、金券を買取ることによる店側の手数料情報とが関連付けられている履歴データベースを有し、
前記端末装置において、買取った金券の枚数が入力されるステップと、
前記端末装置が、前記入力された枚数を枚数情報とし、該枚数情報と端末識別情報と金券識別情報とを前記サーバに送信するステップと、
前記サーバが、前記端末装置から送信されて来た端末識別情報、金券識別情報及び枚数情報を受信すると、この受信した金券識別情報と同一の金券識別情報に関連付けられている買取価格情報を前記データベースから検索し、この検索した買取価格情報と前記受信した枚数情報とに基づいて手数料を算出するステップと、
前記サーバが、前記算出した手数料情報と前記受信した端末識別情報とを関連付けて前記履歴データベースに記憶させるステップ
とを有することを特徴とする請求項１０〜請求項１３のいずれかに記載の金券情報提供方法。
【請求項１５】
前記サーバは、金券を識別する金券識別情報と該金券を買取ることによる買取手数料情報とが関連けられた手数料データベースと、
前記端末装置を識別する端末識別情報と店側の手数料情報とが関連付けられている履歴データベースとを有し、
前記サーバが、前記端末装置から送信されて来た端末識別情報、金券識別情報及び枚数情報を受信すると、この受信した金券識別情報と同一の金券識別情報に関連付けられている買取手数料情報を前記手数料データベースから検索し、この検索した買取手数料情報及び枚数情報に基づいて手数料を算出するステップと、
前記サーバが、前記算出した手数料情報と前記受信した端末識別情報とを関連付けて前記履歴データベースに記憶させるステップ
とを有することを特徴とする請求項１０〜請求項１３のいずれかに記載の金券情報提供方法。
【請求項１６】
前記金券情報提供方法は、
前記サーバが、前記履歴データベースに記憶されている手数料情報が所定の金額以上になると、該手数料情報と関連付けられている端末識別情報で識別される端末装置に金券の送付を要求する通知を行なうステップと、
前記端末装置が、前記サーバからの通知を受けると、金券の送付を指示する旨の表示をするステップ
とを有することを特徴とする請求項１４又は請求項１５に記載の金券情報提供方法。
【請求項１７】
前記サーバの履歴データベースには、端末識別情報に金券識別情報と金券の買取枚数情報とが更に関連付けられており、
前記端末装置が、買取った金券の履歴の情報を送信するよう要求する送信要求と自端末装置を識別する端末識別情報とを前記サーバに送信するステップと、
前記サーバが、前記前記端末装置からの送信要求及び端末識別情報を受信すると、前記受信した端末識別情報と同一の端末識別情報を前記履歴データベースから検索し、この検索した端末識別情報と関連付けられている金券識別情報、枚数情報及び手数料情報を前記履歴データベースから読み出して前記端末装置に送信するステップと、
前記端末装置が、前記サーバからの金券識別情報、枚数情報及び手数料情報を表示するステップ
とを有することを特徴とする請求項１４〜請求項１６のいずれかに記載の金券情報提供方法。
【請求項１８】
サーバと複数の端末装置とから成るシステムを用いて、前記サーバに、金券を買取る為の情報を提供させるプログラムであって、
前記プログラムは、前記サーバを、
金券の名称と該金券の買取価格とが入力されると、該金券を識別する金券識別情報と同一の金券識別情報を、金券識別情報と金券の買取価格を示す買取価格情報とが関連付けられている金券データベースから検索する手段と、
前記検索した金券識別情報と関連付けられている買取価格情報の買取価格を前記入力された買取価格に更新する手段と、
前記端末装置から送信されて来る金券識別情報と同一の金券識別情報を前記金券データベースから検索し、この検索した金券識別情報と関連付けられている買取価格情報を読み出す手段と、
前記読み出した買取価格情報を前記端末装置に送信する手段として機能させることを特徴とするプログラム。
【請求項１９】
前記金券データベースには、金券識別情報に金券の偽造に関する偽造情報が更に関連付けられており、
前記端末装置から送信されて来る金券識別情報と同一の金券識別情報に関連付けられている買取価格情報を前記金券データベースから読み出す際、該金識別情報と関連付けらている偽造情報を読み出す手段と、
前記読み出した金券識別情報及び偽造情報を前記端末装置する手段として機能させることを特徴とする請求項１８に記載のプログラム。
【請求項２０】
前記偽造情報は、金券上の偽造箇所を特定し、この偽造箇所の偽造内容が記載された画像情報であることを特徴とする請求項１９に記載のプログラム。
【請求項２１】
前記端末装置から送信されて来る端末識別情報、金券識別情報及び金券の枚数情報を受信する手段と、
前記受信した金券識別情報と同一の金券識別情報に関連付けられている買取価格情報を前記金券データベースから読み出し、この読み出した買取価格情報と前記受信した枚数情報に基づいて手数料を算出する手段と、
前記受信した端末識別情報と同一の端末識別情報を、端末識別情報と手数料情報とが関連付られている履歴データベースから検索し、この検索した端末識別情報に、前記算出した手数料情報を関連付けて記憶させる手段と、
前記履歴データベースの手数料情報が所定の金額以上になると、該手数料情報と関連付けられている端末識別情報で識別される端末装置に金券の送付要求を通知する手段として機能させることを特徴とする請求項１８〜請求項２０のいずれかに記載のプログラム。
【請求項２２】
前記端末装置から送信されて来る端末識別情報、金券識別情報及び金券の枚数情報を受信する手段と、
前記受信した金券識別情報と同一の金券識別情報に関連付けられている金券を買取ることによる買取手数料情報を、金券識別情報と買取手数料情報とが関連けられた手数料データベースから読み出し、この読み出した買取手数料情報と前記受信した枚数情報に基づいて手数料を算出する手段と、
前記受信した端末識別情報と同一の端末識別情報を、端末識別情報と手数料情報とが関連付られている履歴データベースから検索し、この検索した端末識別情報に、前記算出した手数料情報を関連付けて記憶させる手段と、
前記履歴データベースの手数料情報が所定の金額以上になると、該手数料情報と関連付けられている端末識別情報で識別される端末装置に金券の送付要求を通知する手段として機能させることを特徴とする請求項１８〜請求項２０のいずれかに記載のプログラム。
【請求項２３】
前記履歴データベースには、端末識別情報に金券を識別する金券識別情報と該金券の買取枚数情報とが更に関連づけられており、
前記端末装置からの端末識別情報及び履歴の情報を送信するよう要求する送信要求とを受信すると、この受信した端末識別情報と同一の端末識別情報に関連付けられている金券識別情報、枚数情報及び手数料情報を前記履歴データベースから読み出して送信する手段として機能させることを特徴とする請求項１８〜請求項２２のいずれかに記載のプログラム。
【請求項２４】
金券の種類を識別する金券識別情報と該金券の買取価格を示す買取価格情報と該金券上に偽造内容の記載された偽造画像情報とが関連付けられているデータベースを有するサーバと端末装置とから成るシステムを用いて、前記端末装置に、金券を買取る為の情報を表示させるプログラムであって、
前記プログラムは、前記端末装置を、
顧客から買取れる金券の画像を表示する手段と、
顧客から買取る金券と同一の金券画像を前記表示した金券画像から選択されると、この選択された金券画像の金券を識別する金券識別情報を前記サーバに送信する手段と、
前記サーバから送信されて来た買取価格情報及び偽造画像情報を受信し、この受信した買取価格情報と偽造画像造情報とを表示する手段として機能させる
ことを特徴とするプログラム。
【発明の詳細な説明】
【０００１】
【発明が属する技術分野】
本発明は、金券による代金決算に関し、特に金券の種類に拘りなく、金券を代金決算の手段として用いることが出来るように金券を買取る為の情報を提供する技術に関する。
【０００２】
【発明が解決しようとする課題】
現在、ギフト券、航空券や旅行券等の金券が多数流通している。そして、各金券は、その使用目的に沿って商品の代金決算の手段として用いられている。
【０００３】
ところで、金券は用途が特定されている為、特定された用途以外のところでは使用できない。例えば、書店にて書籍を購入する場合に旅行券を利用することは出来ない。また、レストランで食事をした場合に図書券を利用することは出来ない。この為、特定された用途での使い道がない場合、金券を所持している者は、金券をそのまま所持して眠らせておくか、金券ショップで換金するのが一般的である。
【０００４】
しかしながら、金券ショップが近くにある場合は換金できても、金券ショップが近くにない場合には換金できない。従って、金券の利用度は低くなってしまう。
【０００５】
この為、金券使用の自由度を如何にして高めるかは利用者のサービス向上につながる。しかしながら、金券そのものの本来の性格から、例えばレストランの支払いに図書券を利用することは出来ない。そこで、このような場合においても利用できるようにする為には、レストランが顧客の持つ図書券を買い取り、その代金を顧客に支払い、この支払われた代金をレストランの食事代として支払うようにしなければならない。
【０００６】
ところで、金券の買取価格は日々刻々と変動している。この為、金券ショップでは、常に、最新の買取価格情報を入手している。尚、流通している金券の種類は多数あることから、その情報量は莫大な量である。更に、金券ショップに持ち込まれる金券の中には、偽造された金券が紛れ込んでいることも少なくない。そして、印刷技術の発達した現在では偽造金券が次々と作られ、その偽造内容も巧妙になっている。この為、金券ショップでは最新の偽造情報を入手している。尚、流通している金券の種類は多数あることから、その情報量は莫大な量である。そこで、金券ショップでは、偽造金券に関する情報に精通した者を各店舗に確保している
しかしながら、上記のような特殊能力や買取リスク、更には手間を掛けることは、一般の店では対応できない。
【０００７】
従って、本発明が解決しようとする課題は、顧客サービスの向上を目的として、金券の利用度を向上させる技術を提供することである。特に、例えば飲食店やその他の小売店、つまり金券ショップのような特殊能力を備えていない店において、目的外の金券でも利用、例えばレストランにて図書券で支払いが出来るようにすることである。しかも、その際、店側においても安心して受け取ることが出来るような技術を提供することである。例えば、現在の金券の買取価格以上の価格で買い取ったりすることがなく、安心して受け取ることが出来るような技術を提供することである。
【０００８】
【課題を解決するための手段】
上記の課題を解決する第１の発明は、金券による代金決算に必要な情報を提供するシステムであって、
前記システムは、サーバと、端末装置とを有し、
前記サーバは、
金券の種類を識別する金券識別情報と、該金券の買取価格を示す買取価格情報とが関連付けられている金券データベースと、
前記端末装置から送信されて来た金券識別情報を受信する受信手段と、
前記受信手段で受信した金券識別情報と同一の金券識別情報を前記金券データベースから検索し、この検索した金券識別情報と関連付けられている買取価格情報を読み出す制御手段と、
前記制御手段で読み出した買取価格情報を前記端末装置に送信する送信手段とを有し、
前記端末装置は、
金券識別情報を入力する入力手段と、
前記入力手段で入力された金券識別情報を前記サーバに送信する送信手段と、
前記サーバから送信されて来た買取価格情報を表示する表示手段
とを有することを特徴とする。
【０００９】
上記の課題を解決する第２の発明は、上記第１の発明において、前記端末装置の表示手段は、複数の金券画像が表示されるように構成され、
前記端末装置の入力手段は、前記表示手段に表示された金券画像から特定の金券画像を選択することによって入力できるように構成されていることを特徴とする。
【００１０】
上記の課題を解決する第３の発明は、上記第１又は第２の発明において、
前記サーバは、
金券の名称が記載された金券欄と該金券の買取価格を入力する価格欄とが関連付けられて表示されている表示手段と、
前記表示手段に表示されている価格欄に買取価格を入力する入力手段
とを有し、
前記サーバの制御手段は、前記価格欄に買取価格が入力されると、この価格欄に関連付けられている金券欄の金券を識別する金券識別情報と同一の金券識別情報を前記金券データベースから検索し、検索した金券識別情報と関連付けられている買取価格情報の価格を前記価格欄に入力された買取価格に更新するように構成されていることを特徴とする。
【００１１】
上記の課題を解決する第４の発明は、上記第１〜第３のいずれかの発明において、
前記金券データベースには、金券識別情報に金券の偽造に関する偽造情報が更に関連付けられており、
前記サーバの制御手段は、前記検索した金券識別情報と関連付けられている偽造情報を前記金券データベースから読み出して前記端末装置に送信するように構成され、
前記端末装置の表示手段は、前記サーバから送信されて来た偽造情報を表示するように構成されていることを特徴とする。
【００１２】
上記の課題を解決する第５の発明は、上記第４の発明において、
前記偽造情報は、金券上の偽造箇所を特定し、この偽造箇所の偽造内容が記載された画像情報であることを特徴とする。
【００１３】
上記の課題を解決する第６の発明は、
前記端末装置は、
金券の枚数を入力する入力手段と、
前記入力手段で入力された枚数を枚数情報とし、該枚数情報と自端末装置を識別する端末識別情報と金券識別情報とを前記送信手段に送信させる制御手段
とを有し、
前記サーバは、端末識別情報と金券を買取ることによる店側の手数料情報とが関連付けられた履歴データベースを有し、
前記サーバの制御手段は、前記端末装置から送信されて来た端末識別情報、金券識別情報及び枚数情報を受信すると、前記受信した金券識別情報と同一の金券識別情報に関連付けられている買取価格情報を前記金券データベースから検索し、この検索した買取価格情報及び受信した枚数情報に基づいて手数料を算出し、この算出した手数料情報と、前記受信した端末識別情報とを関連付けて前記履歴データベースに記憶させるように構成されていることを特徴とする。
【００１４】
上記の課題を解決する第７の発明は、上記第１から第５の発明において、
前記サーバは、
金券を識別する金券識別情報と該金券を買取ることによる買取手数料情報とが関連けられた手数料データベースと、
端末識別情報と店側の手数料情報とが関連付けられた履歴データベース
とを有し、
前記サーバの制御手段は、前記端末装置から送信されて来た端末識別情報、金券識別情報及び枚数情報を受信すると、前記受信した金券識別情報と同一の金券識別情報に関連付けられている買取手数料情報を前記手数料データベースから検索し、この検索した買取手数料情報及び枚数情報に基づいて手数料を算出し、この算出した手数料情報と前記受信した端末識別情報とを関連付けて前記履歴データベースに記憶させるように構成されていることを特徴とする。
【００１５】
上記の課題を解決する第８の発明は、上記第６又は第７の発明において、
前記サーバの制御手段は、前記履歴データベースの手数料情報が所定の金額以上になると、該手数料情報と関連付けられている端末識別情報で識別される端末装置に金券の送付を要求する通知をするように構成されていることを特徴とする。
【００１６】
上記の課題を解決する第９の発明は、上記第１〜第７のいずれかの発明において、
前記端末装置の制御手段は、買取った金券の履歴の情報を送信するよう要求する送信要求を前記サーバに送信するよう構成され、
前記サーバの制御手段は、前記端末装置からの送信要求を受信すると、前記履歴データベースに記憶されている手数料情報を前記端末装置に送信するように構成されていることを特徴とする。
【００１７】
上記の課題を解決する第１０の発明は、サーバと端末装置とを用いて、金券による代金決算に必要な情報を提供する方法であって、
前記端末装置において、表示されている複数の金券画像から顧客より買取る金券と同種の金券画像が選択されるステップと、
前記端末装置が、前記選択された金券画像を基に金券を識別する金券識別情報を送信するステップと、
前記サーバが、前記端末装置から送信されて来た金券識別情報を受信すると、受信した金券識別情報と同一の金券識別情報を、金券識別情報と金券の買取価格を示す買取価格情報とが関連付けられている金券データベースから検索するステップと、
前記サーバが、前記検索した金券識別情報と関連付けられている買取価格情報を前記金券データベースから読み出して前記端末装置に送信するステップと、
前記端末装置が、前記サーバから送信されて来た買取価格情報を表示するステップとを有することを特徴とする。
【００１８】
上記の課題を解決する第１１の発明は、上記第１０の発明において、
金券情報提供方法は、
前記サーバにおいて、金券の名称と該金券の買取価格が入力されるステップと、
前記サーバが、前記入力された金券を識別する金券識別情報と同一の金券識別情報を前記金券データベースから検索し、この検索した金券識別情報と関連付けられている買取価格情報の価格を、前記入力された買取価格に更新するステップとを有することを特徴とする。
【００１９】
上記の課題を解決する第１２の発明は、上記第１０又は１１の発明において、前記金券データベースには、金券識別情報に金券の偽造に関する偽造情報が更に関連付けられており、
前記サーバが、前記データベースから買取価格情報を読み出す際、金券識別情報と関連付けられている偽造情報を読み出して前記端末装置に送信するステップと、
前記端末装置が、前記サーバから送信されて来た偽造情報を表示するステップとを有することを特徴とする。
【００２０】
上記の課題を解決する第１３の発明は、上記第１２の発明において、
前記偽造情報は、金券上の偽造箇所を特定し、この偽造箇所の偽造内容が記載された画像情報であることを特徴とする。
【００２１】
上記の課題を解決する第１４の発明は、上記第１０〜第１３のいずれかの発明において、
前記サーバは、前記端末装置を識別する端末識別情報と、金券を買取ることによる店側の手数料情報とが関連付けられている履歴データベースを有し、
前記端末装置において、買取った金券の枚数が入力されるステップと、
前記端末装置が、前記入力された枚数を枚数情報とし、該枚数情報と端末識別情報と金券識別情報とを前記サーバに送信するステップと、
前記サーバが、前記端末装置から送信されて来た端末識別情報、金券識別情報及び枚数情報を受信すると、この受信した金券識別情報と同一の金券識別情報に関連付けられている買取価格情報を前記データベースから検索し、この検索した買取価格情報と前記受信した枚数情報とに基づいて手数料を算出するステップと、
前記サーバが、前記算出した手数料情報と前記受信した端末識別情報とを関連付けて前記履歴データベースに記憶させるステップとを有することを特徴とする。
【００２２】
上記の課題を解決する第１５の発明は、上記第１０〜第１３の発明において、
前記サーバは、
金券を識別する金券識別情報と該金券を買取ることによる買取手数料情報とが関連けられた手数料データベースと、
前記端末装置を識別する端末識別情報と店側の手数料情報とが関連付けられている履歴データベースとを有し、
前記サーバが、前記端末装置から送信されて来た端末識別情報、金券識別情報及び枚数情報を受信すると、この受信した金券識別情報と同一の金券識別情報に関連付けられている買取手数料情報を前記手数料データベースから検索し、この検索した買取手数料情報及び枚数情報に基づいて手数料を算出するステップと、前記サーバが、前記算出した手数料情報と前記受信した端末識別情報とを関連付けて前記履歴データベースに記憶させるステップとを有することを特徴とする。
【００２３】
上記の課題を解決する第１６の発明は、上記第１４又は第１５の発明において、
前記金券情報提供方法は、
前記サーバが、前記履歴データベースに記憶されている手数料情報が所定の金額以上になると、該手数料情報と関連付けられている端末識別情報で識別される端末装置に金券の送付を要求する通知を行なうステップと、
前記端末装置が、前記サーバからの通知を受けると、金券の送付を指示する旨の表示をするステップとを有することを特徴とする。
【００２４】
上記の課題を解決する第１７の発明は、上記第１４〜第１６のいずれかの発明において、
前記サーバの履歴データベースには、端末識別情報に金券識別情報と金券の買取枚数情報とが更に関連付けられており、
前記端末装置が、買取った金券の履歴の情報を送信するよう要求する送信要求と自端末装置を識別する端末識別情報とを前記サーバに送信するステップと、
前記サーバが、前記前記端末装置からの送信要求及び端末識別情報を受信すると、前記受信した端末識別情報と同一の端末識別情報を前記履歴データベースから検索し、この検索した端末識別情報と関連付けられている金券識別情報、枚数情報及び手数料情報を前記履歴データベースから読み出して前記端末装置に送信するステップと、
前記端末装置が、前記サーバからの金券識別情報、枚数情報及び手数料情報を表示するステップとを有することを特徴とする。
【００２５】
上記の課題を解決する第１８の発明は、サーバと複数の端末装置とから成るシステムを用いて、前記サーバに、金券を買取る為の情報を提供させるプログラムであって、
前記プログラムは、
前記サーバを、
金券の名称と該金券の買取価格とが入力されると、該金券を識別する金券識別情報と同一の金券識別情報を、金券識別情報と金券の買取価格を示す買取価格情報とが関連付けられている金券データベースから検索する手段と、
前記検索した金券識別情報と関連付けられている買取価格情報の買取価格を前記入力された買取価格に更新する手段と、
前記端末装置から送信されて来る金券識別情報と同一の金券識別情報を前記金券データベースから検索し、この検索した金券識別情報と関連付けられている買取価格情報を読み出す手段と、
前記読み出した買取価格情報を前記端末装置に送信する手段として機能させることを特徴とする。
【００２６】
上記の課題を解決する第１９の発明は、上記第１０の発明において、
前記金券データベースには、金券識別情報に金券の偽造に関する偽造情報が更に関連付けられており、
前記端末装置から送信されて来る金券識別情報と同一の金券識別情報に関連付けられている買取価格情報を前記金券データベースから読み出す際、該金識別情報と関連付けらている偽造情報を読み出す手段と、
前記読み出した金券識別情報及び偽造情報を前記端末装置する手段として機能することを特徴とする。
【００２７】
上記の課題を解決する第２０の発明は、上記第１９の発明において、
前記偽造情報は、金券上の偽造箇所を特定し、この偽造箇所の偽造内容が記載された画像情報であることを特徴とする。
【００２８】
上記の課題を解決する第２１の発明は、上記第１８〜第２０の発明において、前記端末装置から送信されて来る端末識別情報、金券識別情報及び金券の枚数情報を受信する手段と、
前記受信した金券識別情報と同一の金券識別情報に関連付けられている買取価格情報を前記金券データベースから読み出し、この読み出した買取価格情報と前記受信した枚数情報に基づいて手数料を算出する手段と、
前記受信した端末識別情報と同一の端末識別情報を、端末識別情報と手数料情報とが関連付られている履歴データベースから検索し、この検索した端末識別情報に、前記算出した手数料情報を関連付けて記憶させる手段と、
前記履歴データベースの手数料情報が所定の金額以上になると、該手数料情報と関連付けられている端末識別情報で識別される端末装置に金券の送付要求を通知する手段として機能させることを特徴とする。
【００２９】
上記の課題を解決する第２２の発明は、上記第１８〜第２０のいずれかに記載の発明において、
前記端末装置から送信されて来る端末識別情報、金券識別情報及び金券の枚数情報を受信する手段と、
前記受信した金券識別情報と同一の金券識別情報に関連付けられている金券を買取ることによる買取手数料情報を、金券識別情報と買取手数料情報とが関連けられた手数料データベースから読み出し、この読み出した買取手数料情報と前記受信した枚数情報に基づいて手数料を算出する手段と、
前記受信した端末識別情報と同一の端末識別情報を、端末識別情報と手数料情報とが関連付られている履歴データベースから検索し、この検索した端末識別情報に、前記算出した手数料情報を関連付けて記憶させる手段と、
前記履歴データベースの手数料情報が所定の金額以上になると、該手数料情報と関連付けられている端末識別情報で識別される端末装置に金券の送付要求を通知する手段として機能させることを特徴とする。
【００３０】
上記の課題を解決する第２３の発明は、上記第１８〜第２２の発明において、前記履歴データベースには、端末識別情報に金券を識別する金券識別情報と該金券の買取枚数情報とが更に関連づけられており、
前記端末装置からの端末識別情報及び履歴の情報を送信するよう要求する送信要求とを受信すると、この受信した端末識別情報と同一の端末識別情報に関連付けられている金券識別情報、枚数情報及び手数料情報を前記履歴データベースから読み出して送信する手段として機能させることを特徴とする。
【００３１】
上記の課題を解決する第２４の発明は、金券の種類を識別する金券識別情報と該金券の買取価格を示す買取価格情報と該金券上に偽造内容の記載された偽造画像情報とが関連付けられているデータベースを有するサーバと端末装置とから成るシステムを用いて、前記端末装置に、金券を買取る為の情報を表示させるプログラムであって、
前記プログラムは、
前記端末装置を、
顧客から買取れる金券の画像を表示する手段と、
顧客から買取る金券と同一の金券画像を前記表示した金券画像から選択されると、この選択された金券画像の金券を識別する金券識別情報を前記サーバに送信する手段と、
前記サーバから送信されて来た買取価格情報及び偽造画像情報を受信し、この受信した買取価格情報と偽造画像造情報とを表示する手段として機能させることを特徴とする。
【００３２】
【発明の実施の形態】
第１の実施の形態について説明する。
第１の実施の形態では、顧客から金券が提示された場合、この金券を幾らで買取るかの情報を店側に提供することを特徴とする。
以下、第１の実施の形態を詳細に説明する。
図１〜図７は本発明の一実施形態を示すもので、図１はポスネットワークシステムのブロック図、図２はデータベースを説明する為の図、図３は本実施の形態の動作を説明する為のフローチャート、図４〜図７は端末装置の表示部に表示される画面を説明する為の図である。
【００３３】
図１中、ポスネットワークシステムは、サーバ１００と少なくとも１台以上（複数台）の端末装置２００とを有し、サーバ１００と端末装置２００とは電気通信回線（例えば、インターネット、電話回線や無線ＬＡＮ等）で接続されている。
【００３４】
サーバ１００は、端末装置２００と通信する通信部１１０、記憶部１２０、表示部１３０、入力部１４０、及び制御部１５０を有する。
【００３５】
記憶部１２０には、データベース１Ａが記憶されている。
データベース１Ａには、金券識別情報と買取価格情報とが関連付けられて記憶されている。ここで、金券識別情報は、金券の種類を識別する為の情報である。例えば、金券識別情報”１０”は図書券、”２０”はギフト券、”３０”は旅行券を表す。
【００３６】
買取価格情報は、金券識別情報で識別される金券を（金券に表示されている金額に対して）幾らで買取るかを示す価格の情報である。例えば、５００円の図書券の買取価格は４２０円であると言う情報である。
【００３７】
表示部１３０は、金券の名称が記載されている金券欄と、この金券の買取価格を入力する為の価格欄とが関連付けられて表示されるものである。
入力部１４０は、表示部１３０に表示されている価格欄に金券の買取価格を入力するものである。
【００３８】
制御部１５０は、表示部１３０の価格欄に入力部１４０で金券の買取価格が入力されると、価格欄と関連付けられている金券欄に記載されている金券を識別する金券識別情報と同一の金券識別情報をデータベース１Ａから検索し、この検索した金券識別情報に関連付けられている買取価格情報の価格を、価格欄に入力された価格に更新するものである。又、制御部１５０は、端末装置２００からの端末識別情報及び金券識別情報を受信すると、受信した金券識別情報と同一の金券識別情報を記憶部１２０のデータベース１Ａから検索し、この検索した金券識別情報に関連付けられている買取価格情報を読み出す。この読み出した買取価格情報を、受信した端末識別情で特定される端末装置２００に送信する。
【００３９】
端末装置２００（例えばパーソナルコンピュータ、携帯電話機、携帯端末装置、レジスター等）は、サーバ１００と通信をする通信部２１０、入力部２２０、表示部２３０、記憶部２４０、及び制御部２５０を有する。
【００４０】
入力部２２０（例えば、キーボード、マウス、タッチパネル等）は、代金の入力、金券の種類の指定、枚数など各種情報を入力するものである。
表示部２３０は、代金、金券の種類、金券の買取価額など各種情報を表示するものである。
記憶部２４０は、端末装置２００を識別する端末識別情報が記憶されているものである。
【００４１】
制御部２５０は、通常のレジスタ等が具備する代金計算機能に加え、入力部２２０で代金が入力されると、金券、クレジットカードやＪ−Ｄｅｂｉｔ等の支払い方法を選択する画面を表示部２３０に表示させるものである。又、制御部２５０は、表示部２３０に表示されている支払い方法の中、金券の支払い方法が入力部２２０で選択されると、各種の金券画像を表示部２３０に表示させる。この表示部２３０に表示された金券画像の中、特定の金券画像が入力部２２０で選択されると、この選択された金券画像の金券を識別する金券識別情報及び記憶部２４０に記憶されている端末識別情報を通信部２１０を介してサーバ１００に送信する。又、制御部２５０は、サーバ１００からの買取価格情報を受信すると、受信した買取価格情報を表示部２３０の金額表示欄に表示させる。
【００４２】
続いて、上記構成における動作について説明する。
オペレータは、金券の買取価格が変動すると、サーバ１００の表示部１３０に表示されている価格欄に現在の金券の買取価格を入力部１４０で入力する（ステップ  １０１）。この結果、制御部１５０は、価格欄と関連付けられている金券欄に記載されている金券を識別する金券識別情報と同一の金券識別情報をデータベース１Ａから検索し、この検索した金券識別情報と関連付けられている買取価格情報の価格を、価格欄に入力された買取価格に更新する（ステップ  １０２）。
このように、金券の買取価格が変動する毎にデータベース１Ａの買取価格情報が更新され、店側に最新の買取価格を知らせることができる。
【００４３】
尚、本実施の形態では、既に金券欄に金券の名称が記載されている場合について説明したが、この場合に限るものではない。例えば、金券欄に金券の名称を入力し、価格欄に入力した金券の買取価格を入力するようにしても良い。この場合、金券欄に入力された金券を識別する金券識別情報と同一の金券識別情報をデータベース１Ａから検索し、この検索した金券識別情報と関連付けられている買取価格情報の価格を、価格欄に入力された価格に更新する。
【００４４】
ここで、顧客が商品を購入する場合、店員は商品の金額を端末装置２００の入力部２２０で入力する。例えば、顧客が購入した商品の価格が１００００円の場合、図４に示す通り、店員は入力部２２０で”１００００”と入力する（ステップ  １０３）。
【００４５】
端末装置２００の制御部２５０は、入力部２２０で商品の金額が入力されると、支払い方法を選択する為の項目を表示部２３０に表示させる。例えば、図５に示す通り、”金券”、”ポイント”、”クレジット”及び”ＪＤＥＢＩＴ”の項目が表示部２３０に表示させる（ステップ  １０４）。
【００４６】
店員は表示部２３０に表示された支払い方法の項目の中、”金券”の項目を入力部２２０で選択する（ステップ  １０５）。この結果、制御部２５０は、顧客から受け取った金券の種類を特定する為の金券画像を表示部２３０に表示させる。例えば、図６に示す通り、表示部２３０にクレジット会社ギフト券、商品券、ビール券、ホテルギフト券、遊園地券・・・等の金券画像を表示する（ステップ１０６）。このように、金券画像を表示させることで、金券に関する知識の乏しい店員でも、顧客から受取った金券の種類を即座に特定することができる。
尚、表示部２３０に表示された各金券画像には、金券を識別する金券識別情報が関連付けられており、金券画像を選択することで金券識別情報が特定される。
【００４７】
又、店員は表示部２３０に表示された金券画像の中、顧客から受け取った金券と同種の金券画像を入力部２２０で選択する（ステップ  １０７）。この結果、制御部２５０は、入力部２２０で選択された金券画像に関連付けられている金券識別情報と記憶部２４０に記憶されている端末識別情報とをサーバ１００に送信する（ステップ  １０８）。
【００４８】
端末装置２００からの金券識別情報及び端末識別情報を受信したサーバ１００の制御部１５０は、受信した金券識別情報と同一の金券識別情報を記憶部１２０のデータベース１Ａから検索し、この検索した金券識別情報と関連付けられている買取価格情報をデータベース１Ａから読み出す（ステップ  １０９）。
【００４９】
そして、制御部１５０は、受信した端末識別情報で識別される端末装置２００に、データベース１Ａから読み出した買取価格情報を送信する（ステップ  １１０）。
【００５０】
サーバ１００からの買取価格情報を受信した端末装置２００の制御部２５０は、図７に示す通り、表示部２３０に表示される”ＭＥＴＨＯＤＳ  ＯＦ  ＰＡＹＭＥＮＴ”の欄に受信した金券名と買取価格情報の価格とを関連付けて表示させる（ステップ  １１１）。このように、金券毎に金券名と買取価格とを関連付けて表示させることで、顧客から買取った金券を特定でき、特定の金券の買取をキャンセルする場合でも、容易にキャンセルする金券を特定できる。
【００５１】
尚、複数の金券を買取場合には、ステップ１０５〜ステップ１１１の動作を繰り返す。
【００５２】
このようにして、最新の金券の買取価格を容易に知ることが出来、金券に関する知識を持たない店員でも、金券を代金決算の手段として用いることが出来る。
【００５３】
次に、第２の実施の形態について説明する。
第２の実施の形態では、顧客から提示された金券が偽造金券でないことを確認する為、金券の偽造箇所を特定し、その特徴の内容を記載した偽造画像の情報を端末装置に送信することを特徴とする。
以下、第２の実施の形態を詳細に説明する。
図８は第２の実施の形態におけるポスネットワークシステムのブロック図である。図９はデータベースを説明する為の図である。図１０は偽造画像情報を説明する為の図である。図１１は端末装置の表示部に表示される画面を説明する為の図である。
【００５４】
図８中、サーバ１００の記憶部１２０のデータベース１Ｂには、第１の実施の形態で説明した情報に加え、図９に示す通り、偽造画像情報が関連付けて記憶されている。ここで、偽造画像情報は、金券画像上に偽造されている箇所と、その特徴が記載されている情報である。例えば、図１０に示す通り、金券上の特定箇所の印刷がかすれていることや、使用されていない番号等が記載された情報である。
【００５５】
サーバ１００の制御部１５０Ｂは、第１の実施の形態で説明した機能に加え、端末装置２００からの金券識別情報と同一の金券識別情報を記憶部１２０のデータベース１Ｂから検索し、この検索した金券識別情報に関連付けられている偽造画像情報を読み出して端末装置２００に送信するものである。
端末装置２００の制御部２５０Ｂは、第１の実施の形態で説明した機能に加え、サーバ１００からの偽造画像情報を表示部２３０に表示させるものである。
【００５６】
上記構成における動作について説明する。
尚、以下の説明では、端末識別情報及び金券識別情報を端末装置２００に送信するまでの動作は、第１の実施の形態と同様であることから、詳細な説明は省略する。
【００５７】
端末装置２００からの端末識別情報及び金券識別情報を受信したサーバ２００の制御部１５０Ｂは、受信した金券識別情報と同一の金券識別情報を記憶部１２０のデータベース１Ａから検索し、検索した金券識別情報と関連付けられている買取価格情報及び偽造画像情報を読み出す。この読み出した買取価格情報及び偽造画像情報を制御部１５０Ｂは、受信した端末識別情報で識別される端末装置２００に送信する。
【００５８】
サーバ１００から送信されて来た偽造画像情報を受信した端末装置２００の制御部２５０Ｂは、受信した偽造画像情報を表示部２３０に表示させる。
そして、店員は表示部２３０に表示された金券画像と、顧客から引き取った金券とを見比べ、偽造金券でないことを確認する。
偽造金券でないことを確認すると、店員は、図１１に示す通り、表示部２３０に表示されている確認ボタンを入力部２２０で押下する。この結果、制御部２５０Ｂは、表示部２３０に表示される”ＭＥＴＨＯＤＳ  ＯＦ  ＰＡＹＭＥＮＴ”の欄に受信した金券名と買取価格情報の価格とを関連付けて表示させる。
【００５９】
このように、顧客から提示された金券の偽造情報を画像情報として店側に提供することで、金券偽造に関する知識が乏しい店員でも偽造金券を容易に特定することが出来る。この結果、偽造金券の買取を未然に防止できる。更に、金券による決算もスムーズに行なえ、副次的に金券流通を促進させると言う効果も期待できる。
【００６０】
第３の実施の形態を説明する。
店での金券の買取を促進する為、買取った金券毎に店側に手数料が支払われる。又、店側は自己の負担で顧客から買取った金券を管理会社に郵送しなかればならない。
ところが、顧客から金券を買取る毎に金券を管理会社に郵送していたのでは、経費（郵便代）が嵩み、管理会社からの手数料が減少してしまう。
一方、経費を削減する為、金券を保管していたのでは、紛失や盗難等が発生した場合に損害が大きくなる。
そこで、第３の実施の形態では、金券の買取による店側の手数料の情報をサーバ側で管理し、手数料が予め決められた額になると、金券を郵送するよう指示する情報を端末装置に送信することを特徴とする。
以下、第３の実施の形態を詳細に説明する。
【００６１】
図１２は第３の実施の形態におけるポスネットワークシステムのブロック図である。図１３はデータベースを説明する為の図である。
尚、第１の実施の形態と同様の構成については同じ番号を付して詳細な説明は省略する。
【００６２】
図１２中、サーバ１００の記憶部１２０には、データベース１Ｃが記憶されている。
データベース１Ｃには、図１３に示す通り、端末識別情報と、日時情報と、金券識別情報と、買取価格情報と、枚数情報と、手数料情報とが関連付けて記憶されている。ここで、日時情報は端末装置から端末識別情報、金券識別情報及び枚数情報が送信されて来た時の日時である。枚数情報は金券識別情報で識別される金券を買取った枚数である。手数料情報は顧客から金券を買取ることにより店側に支払われる料金である。
【００６３】
サーバ１００の制御部１５０Ｃは、第１の実施の形態で説明した機能に加え、端末装置２００からの端末識別情報、金券識別情報及び枚数情報を受信すると、受信した金券識別情報と同一の金券識別情報を記憶部１２０のデータベース１Ａから検索し、この検索された金券識別情報に関連付けられている買取価格情報をデータベース１Ａから読み出す。この読み出した買取価格情報と、受信した枚数情報と、予め設定されている手数料の率とに基づいて手数料を算出し、この手数料を手数料情報とする。又、制御部１５０Ｃは、受信した端末識別情報、金券識別情報及び枚数情報と、読み出した買取価格情報と、算出した手数料情報とを関連付けてデータベース１Ｃに記憶させる。更に、制御部１５０Ｃは、一定の周期でデータベース１Ｃに記憶されている端末識別情報毎に、この端末識別情報と関連付けられている手数料情報に基づいて手数料の合計金額を算出する。この結果、算出した合計金額が所定の金額以上であると、金券を郵送するよう店側に指示する指示情報を端末装置２００に送信する。
【００６４】
端末装置２００の制御部２５０Ｃは、第１の実施の形態で説明した機能に加え、入力部２２０で入力された枚数情報、端末識別情報及び金券識別情報をサーバ１００に送信する。又、制御部２５０Ｃは、サーバ１００からの指示情報を受信すると、表示部２３０に金券を郵送するよう指示する旨を表示する。
【００６５】
上記構成における動作について説明する。
尚、以下の説明では、顧客から提示された金券の種類を選択するまでの動作は、第１の実施の形態と同様であることから、詳細な説明は省略する。
【００６６】
入力部２２０により特定の金券画像が選択され、この選択された金券の枚数が入力されると、制御部２５０は選択された金券の金券識別情報、枚数情報及び記憶部２４０の端末識別情報をサーバ１００に送信する。
【００６７】
端末装置２００からの金券識別情報、枚数情報及び端末識別情報を受信したサーバ１００の制御部１５０Ｃは、受信した金券識別情報と同一の金券識別情報を記憶部１２０のデータベース１Ａから検索し、この検索した金券識別情報に関連付けられている買取価格情報をデータベース１Ａから読み出す。この読み出した買取価格情報と、受信した枚数情報と、予め設定されている手数料の率とに基づいて手数料を算出する。例えば、買取価格情報の価格が４２０円、枚数が２枚、予め設定されている手数料の率が５％である場合、４２０（円）×０．０５×２（枚）を計算して手数料（４２円）を算出する。
【００６８】
そして、制御部１５０Ｃは、図１３に示すように、算出した手数料を手数料情報とし、この手数料情報と、受信した端末識別情報、金券識別情報及び枚数情報と、読み出した買取価格情報とを関連付けてデータベース１Ｃに記憶させる。
【００６９】
このようにして、サーバ１００は店（端末装置識別情報）毎に金券の買取状況を把握することが出来る。
【００７０】
ところで、サーバ１００の制御部１５０Ｃは、一定の周期（例えば、２４時間毎）で、データベース１Ｃに記憶されている端末識別情報毎に、この端末識別情報に関連付けられている手数料情報に基づいて手数料の合計金額を算出する。例えば、端末識別情報（端末装置２００）に関連付けられている手数料情報が”２１０”、”２０５”、”４５０”、”１０５０”である場合、制御部１５０は、２１０＋２０５＋４５０＋１０５０の計算を行い、手数料の合計金額”１９１５”を算出する。
【００７１】
そして、制御部１５０Ｃは、算出した手数料の合計金額が所定の金額以上（例えば、５０００円以上）であると、金券を郵送するよう店側に指示する指示情報を端末装置２００に送信する。
【００７２】
サーバ１００からの指示情報を受信した端末装置２００の制御部２５０Ｃは、金券を郵送するよう指示する旨を表示部２３０に表示させる。例えば、表示部２３０に”金券を郵送して下さい”と表示する。
【００７３】
このようにすることで、店側は無駄な経費を掛けることがなく、効率良く買取った金券を郵送できる。又、管理会社の方でも、一定量の金券が郵送されて来る為、事務効率が良くなる効果も在る。
【００７４】
尚、本実施の形態では、データベース１Ａの買取価格情報を用いて手数料を算出する場合について説明したが、この場合に限るものではない。例えば、金券を識別する金券識別情報と、この金券に対する買取手数料情報とが関連付けられた手数料データベースを設ける。そして、端末装置２００からの金券識別情報と同一の金券識別情報を手数料データベースから検索し、この検索した金券情報と関連付けられている買取手数料情報と、端末装置２００からの枚数情報とを基に手数料を算出しても良い。具体的には、金券識別情報”１０（図書券）”の買取手数料情報の手数料が”５０円”、枚数情報の枚数が２枚である場合、手数料を”５０円×２＝１００円”として算出する。
【００７５】
第４の実施の形態について説明する。
第４の実施の形態では、サーバで蓄積された金券の買取状況の報を店側に提供することを特徴とする。
以下、第４の実施の形態を詳細に説明する。
【００７６】
図１４は第３の実施の形態におけるポスネットワークシステムのブロック図である。図１５は表示部に表示される買取価格の履歴情報を説明する為の図である。
尚、第１の実施の形態と同様の構成については同じ番号を付して詳細な説明は省略する。
【００７７】
図１４中、サーバ１００の制御部１５０Ｄは、端末装置２００からの端末識別情報及び履歴送信要求とを受信すると、受信した端末識別情報と同一の端末識別情報を記憶部１２０のデータベース１Ｃから検索する。尚、履歴送信要求とは、サーバ１００のデータベース１Ｃに記憶されている情報（日時情報、金券識別情報、買取価格情報、枚数情報及び手数料情報）を自端末装置に送信するよう要求するものである。又、制御部１５０Ｄは、検索した端末識別情報に関連付けられている日時情報、金券識別情報、買取価格情報、枚数情報及び手数料情報をデータベース１Ｃから読み出し、履歴情報として端末装置２００に送信する。
【００７８】
端末装置２００の制御部２５０Ｄは、入力部２２０により履歴情報の送信要求が入力されると、履歴送信要求及び記憶部２４０の端末識別情報をサーバ１００に送信する。又、制御部２５０Ｄは、サーバ１００からの履歴情報を受信すると、この履歴情報を表示部２３０に表示させる。
【００７９】
続いて、上記構成における動作について説明する。
店員は、例えば端末装置２００の表示部２３０に表示されている項目の中から”履歴情報”を入力部２２０により選択する。この結果、制御部２５０Ｄは、履歴送信要求及び記憶部２４０の端末識別情報をサーバ１００に送信する。
【００８０】
端末装置２００からの履歴送信要求及び端末識別要求を受信したサーバ１００の制御部１５０Ｄは、受信した端末識別情報と同一の端末識別情報を記憶部１２０のデータベース１Ｃから検索し、この検索した端末識別情報と関連付けられている日時情報、金券識別情報、買取価格情報、枚数情報及び手数料情報を読み出す。
【００８１】
そして、制御部２５０Ｄは、読み出した日時情報、金券識別情報、買取価格情報、枚数情報及び手数料情報を履歴情報として端末装置１００に送信する。
【００８２】
サーバ１００からの履歴情報を受信した端末装置２００の制御部２５０Ｄは、受信した履歴情報を表示部２３０に表示させる。例えば、図１５に示す通り、日時情報の日時と、金券識別情報で識別される金券の名称と、買取価格情報の買取価格と、枚数情報の枚数と、手数料情報の手数料とを関連付けて表示させる。
【００８３】
このようにして、店側は現在の金券の買取状況を知ることが出来る。この結果、未送付の金券や送付済みの金券の確認等、店側の経営管理上の資料を提供できる。
【００８４】
尚、第１〜第４の実施の形態で説明した制御部１５０，１５０Ｂ〜Ｄ，２５０，２５０Ｂ〜Ｄは、プログラムで動作するディジタル信号処理プロセッサ等のコンピュータ制御で実現するようにしても良い。
又、第１〜第４の実施の形態では、各々の構成を個別に説明したが、この場合に限るものではない。例えば、第１の実施の形態と第２の実施の形態とを組み合わせた構成にしても良い。
【００８５】
【発明の効果】
本発明によれば、金券を使った支払い範囲が広がる。すなわち、金券ショップにわざわざ行って換金しなくても、金券を使って目的外の場所で支払いが可能になる。
【図面の簡単な説明】
【図１】第１の実施の形態におけるポスネットワークシステムのブロック図
【図２】データベース１Ａを説明する為の説明図
【図３】本実施の形態の動産を説明する為のフローチャート
【図４】購入金額を入力する画面を説明する為の説明図
【図５】支払い方法を選択する画面を説明する為の説明図
【図６】金券を選択する画面を説明する為の説明図
【図７】買取価格が確定した画面を説明する為の説明図
【図８】第２の実施の形態におけるポスネットワークシステムのブロック図
【図９】データベース１Ｂを説明する為の説明図
【図１０】偽造画像情報を説明する為の説明図
【図１１】端末装置の表示部に表示される画面を説明する為の説明図
【図１２】第３の実施の形態におけるポスネットワークシステムのブロック図
【図１３】データベース１Ｃを説明する為の説明図
【図１４】第４の実施の形態におけるポスネットワークシステムのブロック図
【図１５】表示部に表示される買取価格の履歴情報を説明する為の説明図
【符号の説明】
１００  サーバ
１１０  通信部
１２０  記憶部
１３０  表示部
１４０  入力部
１５０  制御部
２００  端末装置
２１０  通信部
２２０  入力部
２３０  表示部
２４０  記憶部
２５０  制御部
【図１】
2004272760.tif 000003
【図２】
2004272760.tif 000004
【図３】
2004272760.tif 000005
【図４】
2004272760.tif 000006
【図５】
2004272760.tif 000007
【図６】
2004272760.tif 000008
【図７】
2004272760.tif 000009
【図８】
2004272760.tif 000010
【図９】
2004272760.tif 000011
【図１０】
2004272760.tif 000012
【図１１】
2004272760.tif 000013
【図１２】
2004272760.tif 000014
【図１３】
2004272760.tif 000015
【図１４】
2004272760.tif 000016
【図１５】
2004272760.tif 000017